(57)【要約】【課題】同一部品でありながら異なる形状情報を有する回路図シンボルおよびＣＡＤセル間において論理情報の不一致が生じないＣＡＤライブラリ呼び出し方法、登録方法、画像表示装置、およびＣＡＤプログラムを提供する。【解決手段】ＣＡＤライブラリ１１Ａは、回路設計に特化した部品ライブラリ１１Ｂを有し、本体１内に配置される情報記憶部１１内に情報として格納されている。本体１内に配置されるＣＡＤ制御部１０は、情報記憶部１１と画像表示部２とに接続されている。部品ライブラリ１１Ｂは、複数の回路図シンボルを有しており、ａ形状群１１０ａ、ｂ形状群１１０ｂ…と、論理情報によってグループ化された形状群１１０を有する。ａ形状群１１０ａは、ａａ回路図シンボル１１１ａ、ａｂ回路図シンボル１１１ｂ…と、それぞれ異なった形状情報をもった複数の回路図シンボルからなる。【選択図】図２
2007156584.tif 000002
【特許請求の範囲】
【請求項１】
ＣＡＤ（Ｃｏｍｐｕｔｅｒ  Ａｉｄｅｄ  Ｄｅｓｉｇｎ  ｓｙｓｔｅｍ）上でＣＡＤライブラリを起動して同一論理情報を有する複数の回路図シンボルの集合で構成される複数の形状群を画面表示し、
前記複数の形状群の表示画面より論理情報を選択することにより所望の論理情報を有する形状群を画面表示し、
画面表示された前記形状群より形状情報を選択することにより所望の回路図シンボルを回路図作成エリアに配置することを特徴とするＣＡＤライブラリ呼び出し方法。
【請求項２】
ＣＡＤ上でＣＡＤライブラリを起動して同一論理情報を有する複数の回路図シンボルの集合で構成される複数の形状群から新規で登録する回路図シンボルと論理情報が同一の形状群を検索し、
前記論理情報が同一の形状群が既に前記ＣＡＤライブラリ内に存在する場合は、その形状群を選択し、前記論理情報が一致する形状群が存在しない場合は、新規で形状群を作成して選択し、選択された前記形状群に回路図シンボルを追加することを特徴とするＣＡＤライブラリ登録方法。
【請求項３】
ＣＡＤ上でＣＡＤライブラリを起動して同一論理情報を有する複数の回路図シンボルの集合で構成される複数の形状群から新規で登録する回路図シンボルと論理情報が同一の形状群を検索し、
前記論理情報が同一の形状群が既に前記ＣＡＤライブラリ内に存在する場合は、その形状群を選択し、前記論理情報が一致する形状群が存在しない場合は、新規で形状群を作成して選択し、
新規登録された回路図シンボルと選択中の前記形状群との論理情報適合検証を行い、両者の論理情報が適合している場合は、選択中の前記形状群に回路図シンボルを追加し、両者の論理情報が適合していない場合はアラートを表示画面に表示することを特徴とするＣＡＤライブラリ登録方法。
【請求項４】
回路図シンボルを表示する表示部と、
論理情報と形状情報を有する複数の回路図シンボルを同一の論理情報に基づいて分類し、前記同一の論理情報に基づく形状群として記憶する情報記憶部と、
前記情報記憶部に記憶された前記論理情報から所望の論理情報を選択し、前記所望の論理情報を有する前記形状群より形状情報を選択することにより所望の回路図シンボルを前記表示部の回路図作成エリアに配置する制御部とを有することを特徴とする画像表示装置。
【請求項５】
前記情報記憶部は、新規の回路図シンボルが入力されたとき前記同一の論理情報を有する形状群に前記新規の回路図シンボルを登録する請求項４に記載の画像表示装置。
【請求項６】
前記情報記憶部は、新規の回路図シンボルが入力されたとき同一の論理情報を有する新規の形状群を作成して前記新規の形状群に前記新規の回路図シンボルを登録する請求項４に記載の画像表示装置。
【請求項７】
ＣＡＤ上でＣＡＤライブラリを起動して同一論理情報を有する複数の回路図シンボルの集合で構成される複数の形状群を画面表示するステップと、
前記複数の形状群の表示画面より論理情報を選択することにより所望の論理情報を有する形状群を画面表示するステップと、
画面表示された前記形状群より形状情報を選択することにより所望の回路図シンボルを回路図作成エリアに配置するステップをコンピュータを用いて実行するためのＣＡＤプログラム。
【請求項８】
ＣＡＤ上でＣＡＤライブラリを起動して同一論理情報を有する複数の回路図シンボルの集合で構成される複数の形状群から新規で登録する回路図シンボルと論理情報が同一の形状群を検索するステップと、
前記論理情報が一致する形状群が既に前記ＣＡＤライブラリ内に存在する場合は、その形状群を選択し、前記論理情報が一致する形状群が存在しない場合は、新規で形状群を作成して選択し、選択された前記形状群に回路図シンボルを追加するステップをコンピュータを用いて実行するためのＣＡＤプログラム。
【請求項９】
ＣＡＤ上でＣＡＤライブラリを起動して同一論理情報を有する複数のＣＡＤセルの集合で構成される複数の形状群を画面表示し、
前記複数の形状群の表示画面より論理情報を選択することにより所望の論理情報を有する形状群を画面表示し、
画面表示された前記形状群より形状情報を選択することにより所望のＣＡＤセルを回路図作成エリアに配置することを特徴とするＣＡＤライブラリ呼び出し方法。
【請求項１０】
ＣＡＤ上でＣＡＤライブラリを起動して同一論理情報を有する複数のＣＡＤセルの集合で構成される複数の形状群から新規で登録するＣＡＤセルと論理情報が同一の形状群を検索し、
前記論理情報が同一の形状群が既に前記ＣＡＤライブラリ内に存在する場合は、その形状群を選択し、前記論理情報が一致する形状群が存在しない場合は、新規で形状群を作成して選択し、選択された前記形状群にＣＡＤセルを追加することを特徴とするＣＡＤライブラリ登録方法。
【請求項１１】
ＣＡＤ上でＣＡＤライブラリを起動して同一論理情報を有する複数のＣＡＤセルの集合で構成される複数の形状群から新規で登録するＣＡＤセルと論理情報が同一の形状群を検索し、
前記論理情報が同一の形状群が既に前記ＣＡＤライブラリ内に存在する場合は、その形状群を選択し、前記論理情報が一致する形状群が存在しない場合は、新規で形状群を作成して選択し、
新規登録されたＣＡＤセルと選択中の前記形状群との論理情報適合検証を行い、両者の論理情報が適合している場合は、選択中の前記形状群にＣＡＤセルを追加し、両者の論理情報が適合していない場合はアラートを表示画面に表示することを特徴とするＣＡＤライブラリ登録方法。
【請求項１２】
ＣＡＤセルを表示する表示部と、
論理情報と形状情報を有する複数のＣＡＤセルを同一の論理情報に基づいて分類し、前記同一の論理情報に基づく形状群として記憶する情報記憶部と、
前記情報記憶部に記憶された前記論理情報から所望の論理情報を選択し、前記所望の論理情報を有する前記形状群より形状情報を選択することにより所望のＣＡＤセルを前記表示部の回路図作成エリアに配置する制御部とを有することを特徴とする画像表示装置。
【発明の詳細な説明】
【技術分野】
【０００１】
本発明は、ＣＡＤ（Ｃｏｍｐｕｔｅｒ  Ａｉｄｅｄ  Ｄｅｓｉｇｎ  ｓｙｓｔｅｍ）ライブラリモデルのＣＡＤライブラリ呼び出し方法、登録方法、画像表示装置、およびＣＡＤプログラムに関する。
【背景技術】
【０００２】
従来の技術として、ＣＡＤシステムを用いてデザインや回路図設計をする際、自由にシンボルやＣＡＤセルを呼び出して配置、使用できるＣＡＤライブラリが知られている（例えば、特許文献１参照。）。
【０００３】
このＣＡＤライブラリ中に収容されている情報には、電気論理回路やプリント基板のデザインに特化した部品ライブラリデータがあり、回路図シンボルおよびＣＡＤセルが複数収容されている。回路図シンボルおよびＣＡＤセルは、部品のピン数や入出力情報等を示す論理情報と、部品のピン位置や形状を示す形状情報を有し、１つの回路図シンボルおよびＣＡＤセルに対し、１組の論理情報と、１組の形状情報が与えられている。回路図シンボルおよびＣＡＤセルは、論理情報と形状情報を入力することにより随時部品ライブラリに登録することができる。
【０００４】
上記した部品ライブラリは、一度回路図シンボルおよびＣＡＤセルを登録すれば、部品を１点１点描画することなく、また論理情報を毎回登録する必要なしに既存の回路図シンボルおよびＣＡＤセルを使用して電気論理回路図やプリント基板をデザインすることができるようになり、図面作成時間を短縮することができる。
【特許文献１】特開平７−８５１３７号公報
【発明の開示】
【発明が解決しようとする課題】
【０００５】
しかし、従来の部品ライブラリによると、同一の部品に複数の形状がある場合、それらはそれぞれ別の回路図シンボルおよびＣＡＤセルとして登録する必要があり、同一部品でありながらそれぞれの論理情報を誤って登録する可能性があるという問題がある。また、プリント基板設計の際、配置スペースの都合等で、同一部品でありながら別の形状情報を有する回路図シンボルおよびＣＡＤセルに変更する必要がある場合、その回路図シンボルおよびＣＡＤセルが誤った論理情報で登録されていた場合は配線ミスにつながる可能性がある。
【０００６】
従って、本発明の目的は、同一部品でありながら異なる形状情報を有する回路図シンボルおよびＣＡＤセル間において論理情報の不一致が生じないＣＡＤライブラリ呼び出し方法、登録方法、画像表示装置、およびＣＡＤプログラムを提供することにある。
【課題を解決するための手段】
【０００７】
（１）本発明は上記目的を達成するため、ＣＡＤ上でＣＡＤライブラリを起動して同一論理情報を有する複数の回路図シンボルの集合で構成される複数の形状群を画面表示し、前記複数の形状群の表示画面より論理情報を選択することにより所望の論理情報を有する形状群を画面表示し、画面表示された前記形状群より形状情報を選択することにより所望の回路図シンボルを回路図作成エリアに配置することを特徴とするＣＡＤライブラリ呼び出し方法を提供する。
【０００８】
このような方法によれば、論理情報を選択した後に形状情報を選択するため、ＣＡＤライブラリ呼び出しの際、同一部品でありながら異なる形状情報をもつ回路図シンボル間で論理情報の不一致が生じない。
【０００９】
（２）本発明は上記目的を達成するため、ＣＡＤ上でＣＡＤライブラリを起動して同一論理情報を有する複数の回路図シンボルの集合で構成される複数の形状群から新規で登録する回路図シンボルと論理情報が同一の形状群を検索し、前記論理情報が同一の形状群が既に前記ＣＡＤライブラリ内に存在する場合は、その形状群を選択し、前記論理情報が一致する形状群が存在しない場合は、新規で形状群を作成して選択し、選択された前記形状群に回路図シンボルを追加することを特徴とするＣＡＤライブラリ登録方法を提供する。
【００１０】
このような方法によれば、同一論理情報を有する形状群を選択した後に回路図シンボルを追加するため、ＣＡＤライブラリに回路図シンボルを新規登録する際、論理情報の登録ミスが減少する。
【００１１】
（３）本発明は上記目的を達成するため、ＣＡＤ上でＣＡＤライブラリを起動して同一論理情報を有する複数の回路図シンボルの集合で構成される複数の形状群から新規で登録する回路図シンボルと論理情報が同一の形状群を検索し、前記論理情報が同一の形状群が既に前記ＣＡＤライブラリ内に存在する場合は、その形状群を選択し、前記論理情報が一致する形状群が存在しない場合は、新規で形状群を作成して選択し、新規登録された回路図シンボルと選択中の前記形状群との論理情報適合検証を行い、両者の論理情報が適合している場合は、選択中の前記形状群に回路図シンボルを追加し、両者の論理情報が適合していない場合はアラートを表示画面に表示することを特徴とするＣＡＤライブラリ登録方法を提供する。
【００１２】
このような方法によれば、（２）の効果に加え、新規登録の回路図シンボルと登録先である形状群間において論理情報の登録ミスを防げる。
【００１３】
（４）本発明は上記目的を達成するため、回路図シンボルを表示する表示部と、論理情報と形状情報を有する複数の回路図シンボルを同一の論理情報に基づいて分類し、前記同一の論理情報に基づく形状群として記憶する情報記憶部と、前記情報記憶部に記憶された前記論理情報から所望の論理情報を選択し、前記所望の論理情報を有する前記形状群より形状情報を選択することにより所望の回路図シンボルを前記表示部の回路図作成エリアに配置する制御部とを有することを特徴とする画像表示装置を提供する。
【００１４】
このような構成によれば、（１）の効果を実現する画像表示装置を提供することが可能となる。
【００１５】
（５）本発明は上記目的を達成するため、ＣＡＤ上でＣＡＤライブラリを起動して同一論理情報を有する複数の回路図シンボルの集合で構成される複数の形状群を画面表示するステップと、前記複数の形状群の表示画面より論理情報を選択することにより所望の論理情報を有する形状群を画面表示するステップと、画面表示された前記形状群より形状情報を選択することにより所望の回路図シンボルを回路図作成エリアに配置するステップをコンピュータを用いて実行するためのＣＡＤプログラムを提供する。
【００１６】
このような構成によれば、（１）の効果を実現するＣＡＤプログラムを提供することが可能となる。
【００１７】
（６）本発明は上記目的を達成するため、ＣＡＤ上でＣＡＤライブラリを起動して同一論理情報を有する複数の回路図シンボルの集合で構成される複数の形状群から新規で登録する回路図シンボルと論理情報が同一の形状群を検索するステップと、前記論理情報が一致する形状群が既に前記ＣＡＤライブラリ内に存在する場合は、その形状群を選択し、前記論理情報が一致する形状群が存在しない場合は、新規で形状群を作成して選択し、選択された前記形状群に回路図シンボルを追加するステップをコンピュータを用いて実行するためのＣＡＤプログラムを提供する。
【００１８】
このような構成によれば、（２）の効果を実現するＣＡＤプログラムを提供することが可能となる。
【００１９】
（７）本発明は上記目的を達成するため、ＣＡＤ上でＣＡＤライブラリを起動して同一論理情報を有する複数のＣＡＤセルの集合で構成される複数の形状群を画面表示し、前記複数の形状群の表示画面より論理情報を選択することにより所望の論理情報を有する形状群を画面表示し、画面表示された前記形状群より形状情報を選択することにより所望のＣＡＤセルを回路図作成エリアに配置することを特徴とするＣＡＤライブラリ呼び出し方法を提供する。
【００２０】
このような方法によれば、論理情報を選択した後に形状情報を選択するため、ＣＡＤライブラリ呼び出しの際、同一部品でありながら異なる形状情報をもつＣＡＤセル間で論理情報の不一致が生じない。
【００２１】
（８）本発明は上記目的を達成するため、ＣＡＤ上でＣＡＤライブラリを起動して同一論理情報を有する複数のＣＡＤセルの集合で構成される複数の形状群から新規で登録するＣＡＤセルと論理情報が同一の形状群を検索し、前記論理情報が同一の形状群が既に前記ＣＡＤライブラリ内に存在する場合は、その形状群を選択し、前記論理情報が一致する形状群が存在しない場合は、新規で形状群を作成して選択し、選択された前記形状群にＣＡＤセルを追加することを特徴とするＣＡＤライブラリ登録方法を提供する。
【００２２】
このような方法によれば、同一論理情報を有する形状群を選択した後にＣＡＤセルを追加するため、ＣＡＤライブラリにＣＡＤセルを新規登録する際、論理情報の登録ミスが減少する。
【００２３】
（９）本発明は上記目的を達成するため、ＣＡＤ上でＣＡＤライブラリを起動して同一論理情報を有する複数のＣＡＤセルの集合で構成される複数の形状群から新規で登録するＣＡＤセルと論理情報が同一の形状群を検索し、前記論理情報が同一の形状群が既に前記ＣＡＤライブラリ内に存在する場合は、その形状群を選択し、前記論理情報が一致する形状群が存在しない場合は、新規で形状群を作成して選択し、新規登録されたＣＡＤセルと選択中の前記形状群との論理情報適合検証を行い、両者の論理情報が適合している場合は、選択中の前記形状群にＣＡＤセルを追加し、両者の論理情報が適合していない場合はアラートを表示画面に表示することを特徴とするＣＡＤライブラリ登録方法を提供する。
【００２４】
このような方法によれば、（８）の効果に加え、新規登録のＣＡＤセルと登録先である形状群間において論理情報の登録ミスを防げる。
【００２５】
（１０）本発明は上記目的を達成するため、ＣＡＤセルを表示する表示部と、論理情報と形状情報を有する複数のＣＡＤセルを同一の論理情報に基づいて分類し、前記同一の論理情報に基づく形状群として記憶する情報記憶部と、前記情報記憶部に記憶された前記論理情報から所望の論理情報を選択し、前記所望の論理情報を有する前記形状群より形状情報を選択することにより所望のＣＡＤセルを前記表示部の回路図作成エリアに配置する制御部とを有することを特徴とする画像表示装置を提供する。
【００２６】
このような構成によれば、（７）の効果を実現する画像表示装置を提供することが可能となる。
【発明の効果】
【００２７】
本発明によれば、同一部品でありながら異なる形状情報を有する回路図シンボル間、あるいはＣＡＤセル間において論理情報の不一致が生じることを防ぐことができる。
【発明を実施するための最良の形態】
【００２８】
以下に、本発明のＣＡＤライブラリ呼び出し方法、登録方法、画像表示装置、およびＣＡＤプログラムの実施の形態を図面を参考にして詳細に説明する。
【００２９】
（電子機器の構成）
図１は、本発明の実施の形態に係る電子機器としての画像表示装置の概略構成図である。
【００３０】
この画像表示装置１００は、ＣＰＵ（Ｃｅｎｔｒａｌ Ｐｒｏｃｅｓｓｉｎｇ Ｕｎｉｔ）、ＨＤＤ（Ｈａｒｄ Ｄｉｓｃ Ｄｒｉｖｅ）等の電子部品より構成される本体１と、文字、画像等を表示する表示画面２０を有する画像表示部２と、文字キー、ファンクションキー等の入力キー３０を有する文字入力部３と、ポインティングデバイスとしてのマウス４とを有する。
【００３１】
（ＣＡＤライブラリの構成）
図２（ａ）は、本発明の実施の形態に関するＣＡＤライブラリの概略構成図である。図２（ｂ）は、図２（ａ）における部品ライブラリの概略構成図である。
【００３２】
このＣＡＤライブラリ１１Ａは、回路設計に特化した部品ライブラリ１１Ｂを有し、本体１内に配置される情報記憶部１１内に情報として格納されている。本体１内に配置されるＣＡＤ制御部１０は、情報記憶部１１と画像表示部２とに接続されている。
【００３３】
この部品ライブラリ１１Ｂは、複数の回路図シンボルを有しており、ａ形状群１１０ａ、ｂ形状群１１０ｂ、ｃ形状群１１０ｃ…と、論理情報によってグループ化された形状群１１０を有する。ａ形状群１１０ａは、ａａ回路図シンボル１１１ａ、ａｂ回路図シンボル１１１ｂ、回路図シンボル１１１ｃ…と、それぞれ異なった形状情報をもった複数の回路図シンボルからなる。ｂ形状群１１０ｂ以降についても同様の構成である。
【００３４】
なお、以下の説明において、プリント基板等のレイアウト設計の際に使用されるＣＡＤセルにおいても、回路設計の際に使用される回路図シンボルと同様の構成をとるものとする。
【００３５】
図３（ａ）〜（ｄ）は、本発明の実施の形態に関する回路部品の搭載を示す一部断面図と、回路図シンボルを示す図であり、（ｂ）は、搭載を示す（ａ）に対応した回路図シンボル、（ｄ）は、搭載を示す（ｃ）に対応した回路図シンボルである。また、（ｅ）は、旧ＪＩＳ規格の回路図シンボル、（ｆ）は新ＪＩＳ規格の回路図シンボルである。
【００３６】
図３（ａ）および（ｃ）に示す抵抗１１１Ａおよび抵抗１１１Ｃは、それぞれ基板１１００のスルーホールにピンを挿入し装着される。抵抗１１１Ａと抵抗１１１Ｃは同様の性質をもつ部品であり、論理情報が同じで装着方法のみ異なる。図３（ａ）に示す装着方法の場合は、図３（ｂ）に示すように回路図シンボル１１１Ｂとして表示画面２０上に表示される。また、図３（ｃ）に示す装着方法の場合は、図３（ｄ）に示すように回路図シンボル１１１Ｂとして表示画面２０上に表示される。
【００３７】
また、図３（ｅ）および（ｆ）に示すように、回路図シンボル１１１Ｅと回路図シンボル１１１Ｆとが同一の部品であり、回路図シンボル１１１Ｇと回路図シンボル１１１Ｈとが同一の部品であっても、旧ＪＩＳ規格と新ＪＩＳ規格とで同じ部品でも形状が異なる。
【００３８】
これら回路図シンボル１１１Ｂ〜１１１Ｈは、図２（ｂ）に示す回路図シンボルに該当し、論理情報が一致しているため形状群の一つとして部品ライブラリ１１Ｂに情報が格納されている。
【００３９】
（実施の形態の動作）
以下に、本発明の実施の形態におけるＣＡＤライブラリの動作を図１から図５を参照しつつ説明する。
【００４０】
ＣＡＤ制御部１０は、文字入力部３およびマウス４を操作することにより動作し、情報記憶部１１と互いに情報を伝達し合い、所望の画像を画像表示部２の表示画面２０に表示する。
【００４１】
図４は、本発明の実施の形態に関するＣＡＤシステムの部品ライブラリ呼び出しの手順を示すフローチャートである。
【００４２】
まず、ＣＡＤシステム上でＣＡＤライブラリ１１Ａを起動する（Ｓ１）。ＣＡＤライブラリ１１Ａを起動することにより表示画面２０上に形状群１１０が表示され、論理情報を選択することができる。次に、論理情報を選択する（Ｓ２）。なお、図面作成中に選択中の回路図シンボルがある場合は、その回路図シンボルと一致する論理情報を形状群１１０より自動的に選択することもできる。論理情報を入力、または選択することにより所望の論理情報を有する形状群中の複数の回路図シンボルが表示される（Ｓ３）。複数の回路図シンボルより形状情報を選択することにより所望の回路図シンボルが表示画面２０上の回路図作成エリアに配置される（Ｓ４）。
【００４３】
図５は、本発明の実施の形態に関するＣＡＤシステムの部品ライブラリ登録の手順を示すフローチャートである。
【００４４】
まず、ＣＡＤライブラリ１１Ａを起動する（Ｓ１１）。表示画面２０上において、新規で登録する回路図シンボルと論理情報が同一の形状群を部品ライブラリ１１Ｂより検索する（Ｓ１２）。次に、論理情報が一致する形状群が既にＣＡＤライブラリ１１Ａ内に存在する場合は、その形状群を選択する（Ｓ１３）。また、論理情報が一致する形状群が部品ライブラリ１１Ｂに存在しない場合は、新規で形状群を作成し、選択する（Ｓ１４）。次に、選択された形状群に回路図シンボルを追加する（Ｓ１５）。次に、ＣＡＤ制御部１０により自動的に、新規登録の回路図シンボルと選択中の形状群との論理情報適合検証が行われる（Ｓ１６）。両者の論理情報が適合している場合は、選択中の形状群に回路図シンボルが追加され、ＣＡＤライブラリ１１Ａが更新される（Ｓ１９）。また、両者の論理情報が適合していない場合は、選択中の形状群に含まれる回路図シンボルの論理情報を変更するかどうかの判断を促すアラートが表示画面２０に表示される（Ｓ１７）。選択中の形状群に属する回路図シンボルの論理情報を新規追加する回路図シンボルの論理情報に合わせて変更する場合は、選択中の形状群に属する回路図シンボルのピン位置情報等の形状情報を論理情報に合わせて変更し更新する（Ｓ１８）。次に、更新された形状群に新規の回路図シンボルが追加され、ＣＡＤライブラリが更新される（Ｓ１９）。また、選択中の形状群に変更を加えない場合は、再び図５のＳ１２に示すステップに戻る。
【００４５】
（実施の形態の効果）
上記した実施の形態によると、ＣＡＤライブラリ１１Ａは、同一の論理情報を有する複数の回路図シンボルを形状群として扱うことにより、同一部品でありながら異なる形状情報を有する回路図シンボル間において生じる、論理情報登録ミスによる論理情報の不一致を防ぐことができる。
【００４６】
また、ＣＡＤライブラリ１１Ａは、新規追加回路図シンボルと既に登録された形状群との論理情報検証機能を有するため、新規で回路図シンボルを追加する際に論理情報の登録ミスを防ぐことができる。
【００４７】
また、論理回路図の回路図シンボルは、ＪＩＳ規格や米軍規格において表記が異なるが、本発明のＣＡＤライブラリ１１Ａを用いることにより、両規格間での論理回路図の書き換えにおいて、論理情報の不一致に起因する書き換えミスを防ぐことができる。
【００４８】
また、回路図シンボルは、論理回路図とプリント基板において表記が異なるが、本発明のＣＡＤライブラリ１１Ａを用いることにより、プリント基板の設計において、論理情報の不一致に起因する設計ミスを防ぐことができる。
【図面の簡単な説明】
【００４９】
【図１】本発明の実施の形態に係る電子機器としての画像表示装置の概略構成図である。
【図２】（ａ）は、本発明の実施の形態に関するＣＡＤライブラリの概略構成図である。（ｂ）は、図２（ａ）における部品ライブラリの概略構成図である。
【図３】（ａ）〜（ｄ）は、本発明の実施の形態に関する回路部品の搭載を示す一部断面図と、回路図シンボルを示す図であり、（ｂ）は、搭載を示す（ａ）に対応した回路図シンボル、（ｄ）は、搭載を示す（ｃ）に対応した回路図シンボルである。また、（ｅ）は、旧ＪＩＳ規格の回路図シンボル、（ｆ）は新ＪＩＳ規格の回路図シンボルである。
【図４】本発明の実施の形態に関するＣＡＤシステムの部品ライブラリ呼び出しの手順を示すフローチャートである。
【図５】本発明の実施の形態に関するＣＡＤシステムの部品ライブラリ登録の手順を示すフローチャートである。
【符号の説明】
【００５０】
１…本体、２…画像表示部、３…文字入力部、４…マウス、１０…制御部、
１１…情報記憶部、１１Ａ…ＣＡＤライブラリ、１１Ｂ…部品ライブラリ、
２０…表示画面、３０…入力キー、１００…画像表示装置、
１１０…形状群、１１０ａ…ａ形状群、１１０ｂ…ｂ形状群、
１１０ｃ…ｃ形状群、１１１ａ…ａａ回路図シンボル、
１１１ｂ…ａｂ回路図シンボル、１１１ｃ…ａｃ回路図シンボル、１１１Ａ…回路図シンボル、
１１１Ｂ…回路図シンボル、１１１Ｃ…回路図シンボル、１１１Ｄ…回路図シンボル、１１１Ｅ…回路図シンボル、１１１Ｆ…回路図シンボル、１１１Ｇ…回路図シンボル、１１１Ｈ…回路図シンボル
【図１】
2007156584.tif 000003
【図２】
2007156584.tif 000004
【図３】
2007156584.tif 000005
【図４】
2007156584.tif 000006
【図５】
2007156584.tif 000007